Podtech/llm-jp-corpus-v4-ja_patent huggingface dataset:
(57)【要約】      （修正有）【課題】黒にんにくを簡単に食することができると共にフルーテイな味と高い栄養価を持つかまぼこを提供する。【解決手段】黒にんにく１を粒状にカットしたものをかまぼこ２に含有させる。黒にんにく１を食べ易くすると共にかまぼこ２にフルーテイな味と高い栄養価を付与する。【選択図】図１
0003201027.tif 000002
【実用新案登録請求の範囲】
【請求項１】
黒にんにくをかまぼこに含有させたことを特徴とするかまぼこ。
【請求項２】
黒にんにくを粒状、又は黒にんにくをカットしたもの黒にんにくををかまぼこに含有させる請求項１記載のかまぼこ。
【請求項３】
黒にんにくは、３８以上の糖度の高いにんにくを、温度６２〜７０°Ｃ、湿度６５〜７５％で、２〜３週間熟成することにより製造される請求項１又は２記載のかまぼこ。
【考案の詳細な説明】
【技術分野】
【０００１】
この考案は、黒にんにくを含ませたかまぼこに係り、詳記すれば黒にんにくの食べずらさを解消するとともにかまぼこにフルーテイな味を含有させたかまぼこに関する。
【背景技術】
【０００２】
従来、かまぼこは、魚やイカのすり身を原料とし、海産物加工品として流通しているものである。その風味は海産物特有のものであり、意外な取り合わせで独自性が有り、特にフルーテイな味に重点を置いた食欲をそそる味を持つものは販売されていない。また、黒にんにくは、栄養価の高いものであるが、一粒食べようとすると、手が汚れたり、冷蔵庫に保管すると独特の臭いが冷蔵庫内に漂う。
【考案の概要】
【考案が解決しようとする課題】
【０００３】
この考案は、このような点に着目してなされたものであり、請求項１に記載の考案は、黒にんにくを簡単に食することができると共に、フルーテイな味を持つかまぼこを提供することを目的とする。
【課題を解決するための手段】
【０００４】
上記目的に沿う本考案の構成は、黒にんにくをかまぼこに含有させたことを特徴とする。
【０００５】
黒にんにくをかまぼこに含有させるには、黒にんにくを粒状にしても、黒にんにくをカットしても差支えない（請求項２）。
【０００６】
黒にんにくは、３８以上の糖度の高いにんにくを、温度６２〜７０°Ｃ、湿度６５％〜７５％で、２〜３週間熟成することにより製造される(請求項３)。
【考案の効果】
【０００７】
本考案によれば、黒にんにくを簡単に食することができると共に、かまぼこの塩味と黒にんにくの甘みが程よく、従来のかまぼこにないフルーテイな味を付与することができ、また、黒にんにく特有の栄養素を付加することができる。
【図面の簡単な説明】
【０００８】
【図１】本考案の実施例を示す斜視図である。
【図２】本考案の他の実施例を示す斜視図である。
【図３】本考案の他の実施例を示す斜視図である。
【符号の説明】
【０００９】
１・・・・・黒にんにく
２・・・・・かまぼこ
【考案を実施するための最良の形態】
【００１０】
本考案の実施の形態を説明する。
主に白身魚やイカのすり身に塩やみりんなどと共に黒にんにくを粒状にしたり、又は黒にんにくをカットしたたものを加え、粘り気が出るまで練る。これを蒸し上げる。加熱することで固まったかまぼこを冷し、目的の黒にんにくかまぼこを得る。これは、簡単に食することができると共にフルーテイな従来にない味のかまぼこが得られる。
【産業上の利用可能性】
【００１１】
本考案によれば、黒にんにくを簡単に食することができると共に従来にないフルーテイな味と高い栄養価を持つかまぼこが得られるので、その利用が期待される。
【００１２】
製薬会社では、黒にんにくをカプセル化して毎日補給する手法を用いているが、それでは薬剤となり、黒にんにく固有の美味しさを損なう。
本考案の黒にんにくかまぼこは、携帯食品としても利用でき、登山用の非常食やスポーツ時の栄養補給食としても利用できる。
【図１】
0003201027.tif 000003
【図２】
0003201027.tif 000004
【図３】
0003201027.tif 000005
【手続補正書】
【提出日】平成27年9月9日(2015.9.9)
【手続補正１】
【補正対象書類名】実用新案登録請求の範囲
【補正対象項目名】請求項２
【補正方法】変更
【補正の内容】
【請求項２】
黒にんにくを粒状にしたり、又は黒にんにくをカットしたものをかまぼこに含有させる請求項１記載のかまぼこ。
(57)【要約】      （修正有）【課題】点検口取り付け時の枠の歪み・内部の電気コードや木部の誤切断・壁や天井の汚れ等の不具合を無くし、一人でできる為労力の短縮が計れる点検口取り付け用具を提供する。【解決手段】２ｃｍ巾の正方形アルミ板枠の内側に、２ｃｍ巾のアルミ板を立て、立てたアルミ板の真中に、高さを付けた２ｃｍ巾の持ち手２のアルミ板を１本付けた。  【選択図】図１
0003201043.tif 000002
【実用新案登録請求の範囲】
【請求項１】
２ｃｍ巾の正方形アルミ板枠の内側に、２ｃｍ巾のアルミ板を立て、立てたアルミ板の真中に、高さを付けた２ｃｍ巾の持ち手のアルミ板を１本付けた、点検口取り付け用具。
【考案の詳細な説明】
【背景技術】
【０００１】  点検口の取り付けには最低２人以上の人材が必要で、切断時には見えない内部の電気コード・木部の切断、誤った位置の壁の切断でクロスの模様のずれ、取付け時には点検口の歪みなど様々な不具合が発生します。この用具をビスで止めて外側を切り、抜き取り、工事終了後にはビスを外し、抜き取った部分のクロスや木目の模様もずれること無く・隙間も無く仕上げることが、一人で正確にできる点検口の用具の考案を致しました。
【考案を実施するための最良の形態】
【０００２】  ２ｃｍ巾の正方形のステンレス板枠の内側に、２ｃｍ巾のステンレス板を立てる。立てたステンレスの上部の真中に２ｃｍ巾の持ち手を付ける。持ち手を付ける部分には底辺からの高さを付ける。
【図面の簡単な説明】
【０００３】
【図１】本考案にかかる天井・壁用点検口の取り付用具。
【符号の説明】
【０００４】  天井・壁用点検口取り付け用具      １０
固定するビス穴                      １
持ち手                              ２
【図１】
0003201043.tif 000003
(57)【要約】      （修正有）【課題】巾の狭いセロハンテープとか巾広の梱包用テープを貼る時にテープの先端を素手で引き出し真っ直ぐにシワにならない様に貼ることを容易にするテープ貼りクリップ及びクリップカッターを提供する。【解決手段】引手ツバ１が付いているクリップ３にテープ切断刃２を付けてテープ先端４をクリップ３に挟み水平に引き出しながら貼って行き貼り終えた後切断刃２でクリップ３を切り離す。素手でテープ５を掴まなくても作業できるようにした。【選択図】図４
0003201045.tif 000002
【実用新案登録請求の範囲】
【請求項１】
クリップに引手ツバを付けたテープ貼りクリップ
【請求項２】
クリップに切断刃を装着したテープ貼りクリップカッター
【考案の詳細な説明】
【技術分野】
【０００１】この考案は巾狭の事務用セロハンテープとか巾広の梱包用テープ貼り作業をする時に真っ直ぐシワにならなく貼り始めのテープに指紋が付かずに手が粘着剤で汚れない事を解決するためにテープ貼りクリップカッターを提供する。
【背景技術】
【０００２】従来は、セロハンテープとか梱包用テープを貼る時にテープの先端を素手で掴み引き出して貼っていたが直接掴む事をしなくても作業できる物がなかった。
【考案の概要】
【考案が解決しようとしている課題】
【０００３】巾狭の事務用セロハンテープとか巾広の梱包用テープを貼る時にテープの先端を素手で引き出し真っ直ぐにシワにならない様に貼るが失敗したり透明テープの場合は途中で裂けたり指紋が付いたりして手が粘着剤で汚れる問題点があった。
【課題を解決するための手段】
【０００４】課題を解決するために、引手ツバ１が付いているクリップ３にテープ切断刃２を付けてテープ先端４をクリップ３に任意の位置で巾狭の事務用セロハンテープとか巾広の梱包用テープ５を挟み引手ツバ１を持ちテープを引き出し先端を対象物に貼ってから徐々に水平に引き出し貼って行き貼り終えた後クリップ３を切断刃２で切り離して切り離したテープを容易に除去でき素手でテープ５を掴まなくても作業できるようにした。
【考案の効果】
【０００５】テープ先端を素手で掴む事無く任意の位置をクリップで挟み引手ツバを持って水平に引き出しながら真っ直ぐにシワとか切れ等が発生することなく簡単な構造で巾狭の事務用セロハンテープから巾広の梱包用テープとかに対応できて綺麗に容易に行う事ができる。
【図面の簡単な説明】
【０００６】
【図１】本考案の平面図である。
【図２】本考案の立面図である。
【図３】本考案の断面図である。
【図４】本考案の使用状態を示す斜視図である。
【符号の説明】
【０００７】１  引手ツバ
２  テープ切断刃
３  クリップ
４  テープ先端
５  テープ
【図１】
0003201045.tif 000003
【図２】
0003201045.tif 000004
【図３】
0003201045.tif 000005
【図４】
0003201045.tif 000006
(57)【要約】【課題】トートバッグのファッション性と表現度を維持しつつ安全に缶バッジやアクセサリーをトートバッグに着用可能にし、缶バッジやアクセサリーの引っ掛かりや紛失や使用者自身と他者を怪我させることなどを無くすことにある。【解決手段】本考案に係る缶バッジトートバッグ１はポリエステル等の生地を所定の大きさに裁断によって形成された取っ手付きの袋体１０と、透明な塩化ビニルの素材を所定の大きさに裁断によって形成された袋体２０をボタン１４、２３により装着されたものである。【選択図】図１
0003201050.tif 000002
【実用新案登録請求の範囲】
【請求項１】
上部が開口した袋体表面部及び背面部の開口端縁部に取っ手を設けた袋体と、透明の式塩化ビニル素材の袋体とを重ねた２重構造であることを特徴とする缶バッジトートバッグ。
【請求項２】
前記取っ手付きの袋体と前記塩化ビニル素材をボタンにより装着することを特徴とする請求項１記載の缶バッジトートバッグ。
【請求項３】
前記取っ手付きの袋体と前記塩化ビニル素材を装着した際、上辺が同じ高さになることを特徴とする請求項１または２記載の缶バッジトートバッグ。
【考案の詳細な説明】
【技術分野】
【０００１】  本考案は、トートバッグに透明のボタン脱着式塩化ビニル素材を被せたものである。
【背景技術】
【０００２】従来のトートバッグに缶バッジなどを付ける場合、衣類や物に引っ掛かることがあり、紛失やバッグの損傷，使用者自身及び他者を傷つけることがあった。
【先行技術文献】
【特許文献】
【０００３】
【特許文献１】実用新案登録第３１８４２１０号
【考案の概要】
【考案が解決しようとする課題】
【０００４】取っ手付きの袋体に缶バッジなどを付けることにより、衣類や人に引っ掛かり、バッグ自体を損傷又は、缶バッジが外れて紛失することや使用者自身及び他者を傷つける可能性がある。
【課題を解決するための手段】
【０００５】本考案はボタン脱着式の透明塩化ビニル素材の生地をトートバッグに覆う形で装着することで缶バッジなどの衣類・物への引っ掛かり、紛失という問題点を解決している。
【考案の効果】
【０００６】上述のように取っ手付きの袋体に缶バッジなどを付けた状態で透明塩化ビニルを取っ手付きの袋体に装着したので、缶バッジなどの衣類・物への引っ掛かかりや紛失が無くなるだけでなく、使用者自身及び他者を傷つける危険性がなくなるので役立つ。従って、安全に外部から缶バッジが見える状態で使用できる。
【図面の簡単な説明】
【０００７】
【図１】本考案の缶バッジトートバッグの実施例を示す正面図及び、取り外しが可能なため分割したそれぞれの正面図である。
【考案を実施するための形態】
【０００８】本考案に係る缶バッジトートバッグ１はポリエステル等の生地を所定の大きさに裁断によって形成された取っ手付きの袋体１０と、透明な塩化ビニルの素材を所定の大きさに裁断によって形成された袋体２０をボタン１４、２３により装着されたものである。
【０００９】取っ手付きの袋体１０は、底面部１１と、一対の側面部１２と、一対の持ち手１３とを有し、一対の側面部１２の上部に着脱式ボタン１４を有するものである。
【００１０】透明の塩化ビニル素材の袋体２０は、一対の側面部２２と、一対の側面部２２の上部に着脱式ボタン２３を有するものである。
【００１１】取っ手付きの袋体１０に塩化ビニル素材の袋体２０を装着した缶バッジトートバッグ１は、取っ手付きの袋体１０と透明の塩化ビニル素材の袋体２０を取っ手付きの袋体１０のボタン１４，塩化ビニル素材の袋体２０のボタン２３により装着されたものである。
【００１２】取っ手付きの袋体１０の上辺１５と透明の塩化ビニル素材の袋体２０の上辺２４は取っ手付きの袋体１０に塩化ビニル素材の袋体２０を装着した缶バッジトートバッグ１の状態で同じ高さになる。
【００１３】そして、缶バッジトートバッグ使用者は袋体２１に使用者が所持している缶バッジやアクセサリーを装着し、塩化ビニル素材の袋体２２をボタン１２，１５により装着して使用するようになっている。
【００１４】従って、使用者は缶バッジトートバッグ１を使用することにより、自身が所持使用する缶バッジやアクセサリーを保護することが可能となる。
【００１５】また、従来トートバッグに直接着用していた缶バッジやアクセサリーが保護されたことにより、使用者自身及び他者が缶バッジやアクセサリーに触れることがなくなるため、怪我などをする危険性がなくなる。
【００１６】なお、本考案は透明な塩化ビニル素材の袋体２０が、取っ手付きの袋体１０を覆うことを最大の利点としているため、取っ手付きの袋体１０はポリエステルで説明したが、綿など他の生地を使用することが可能であることは勿論である。
【符号の説明】
【００１７】１    缶バッジトートバッグ
１１  取っ手付きの袋体２１の底面部
１２  取っ手付きの袋体２１の側面部
１３  取っ手
１４  取っ手付きの袋体２１のボタン
１５  取っ手付きの袋体２１の上辺部
２０  透明な塩化ビニル素材の袋体
２１  透明な塩化ビニル素材の袋体の底面部
２２  透明な塩化ビニル素材の袋体の側面部
２３  透明な塩化ビニル素材の袋体のボタン
２４  透明な塩化ビニル素材の袋体の上辺部
【図１】
0003201050.tif 000003
(57)【要約】      （修正有）【課題】自転車のような車幅灯や尾灯のない車両に採用し、夜間、左、右の識別が容易にできるマーカー表示併用方向指示器を提供する。【解決手段】方向指示表示灯の指示側は点滅させると同時に、反対側の表示灯は連続点灯させる。指示側の点滅点灯表示に対して反対側の連続点灯表示をマーカーとして働かせる。【選択図】図１
0003201183.tif 000002
【実用新案登録請求の範囲】
【請求項１】
車両の方向指示器において、左右の表示灯のうち指示側の表示灯を点滅点灯させ、同時に指示側でない表示灯は連続点灯させ、指示側の表示灯の点滅点灯に対して連続点灯がマーカーとしてなることを特徴とするマーカー表示併用方向指示器。
【考案の詳細な説明】
【技術分野】
【０００１】
車両の方向指示器に関するものである。
【背景技術】
【０００２】
従来の車両の方向指示器は指示側の表示灯のみが点滅する方法であった。
【先行技術文献】
【特許文献】
【０００３】
【特許文献１】特開２００５−１６１９１７
【考案の概要】
【考案が解決しようとする課題】
【０００４】
従来の方向指示器の表示方法を、そのまま自転車のような車幅が狭く、且つ車幅灯や尾灯のない車両に採用した場合、夜間、左か右かの識別が困難であった。    
【課題を解決するための手段】
【０００５】
方向指示器の左右の表示灯において、指示側の表示灯は点滅点灯し、それと同時に指示側でない表示灯は連続点灯させる。この連続点灯は指示側の表示灯に対してマーカーとして働くことになり、方向指示器単独でも左右の識別が可能となる。  
【考案の効果】
【０００６】
従来の方向指示器は、四輪車の場合車幅灯と組合わせる必要があり、二輪車の場合は前照灯や尾灯を車両の中央に配し、その左右に対象に表示灯を取り付けなければならなかった。本考案は方向指示器単独でも左右の識別が可能である。従って自転車のような車幅灯や尾灯がなく、又前照灯が中央に配置されていなくても左右の識別が可能になる。又左右の表示灯を一つの容器に納めてコンパクトな表示器としても左右の識別が容易にできる。
【図面の簡単な説明】
【０００７】
【図１】本考案を動作させるための電気制御回路には、いろいろな方法があるが、これはその系統図の一例で、表示灯４が連続点灯し、表示灯５は点滅点灯する状態を示している。
【考案を実施するための形態】
【０００８】
本考案を実施するためには電気制御回路によって実現することができる。
【０００９】
図１において、左右表示灯の切替スイッチ３の切替スイッチ３−１と切替スイッチ３−２は連動するものとする。
【００１０】
図１についての動作説明。切替スイッチ３−１の接点Bと切替スイッチ３−２の接点Bはオープン状態であり方向指示を表示しない場合は切替スイッチ３−１，３−２をこの位置にする。右折れ表示をする場合は切替スイッチ３の各々の切替スイッチ３−１，３−２の位置を接点Aにすることで、連続点灯電源１は切替スイッチ３ー１の接点Aを経由して、この接点Aとつながっている表示灯４が連続点灯する。一方、点滅点灯電源２は切替スイッチ３ー２の接点Aを経由して、この接点Aとつながっている表示灯５が点滅点灯する。この点滅点灯する表示灯５が指示側となり、指示側の表示灯の点滅点灯に対して連続点灯する表示灯４がマーカーとなる。同様に、左折れの場合は、切替スイッチ３の各々の切替スイッチ３−１，３−２の位置を接点Cにすることで、連続点灯電源１は切替スイッチ３ー１の接点Cを経由して、この接点Cとつながっている表示灯５が連続点灯する。一方、点滅点灯電源２は切替スイッチ３ー２の接点Cを経由して、この接点Cとつながっている表示灯４が点滅点灯する。この点滅点灯する表示灯４が指示側となり、指示側の表示灯の点滅点灯に対して連続点灯する表示灯５がマーカーとなる。
【産業上の利用可能性】
【００１１】
道路交通法第５３条では車両は、その進路を変更する場合は、方向指示を表示しなければならないと定められている。自転車も車両（軽車両）であるため方向指示器が必要である。
【符号の説明】
【００１２】
１      連続点灯電源
２      点滅点灯電源
３      左右表示灯の切替スイッチ
３−１  切替スイッチ３−１
３−２  切替スイッチ３−２
４      左表示灯
５      右表示灯
A       切替スイッチの接点
B        切替スイッチの接点
C        切替スイッチの接点
【図１】
0003201183.tif 000003
(57)【要約】【課題】本考案は、フィットネス、ヨガ、ピラティス、などのトレーニングやデスクワークの際、肘や膝との接触面（床やヨガマットや机）との摩擦から皮膚を守るための衣類。【解決手段】伸縮性、吸収性のあるコットンとゴムを使用し、縫い合わせることで、肘や膝の衣類をつくる。【選択図】図２
0003201181.tif 000002
【実用新案登録請求の範囲】
【請求項１】
布にゴムを縫い入れた伸縮性のある肘や膝の衣類であり、関節を守る膝や肘サポーターのような機能のあるものでなく、肘や膝と面（床など）の接触を和らげる衣類である。
【考案の詳細な説明】
【技術分野】
【０００１】本考案は、スポーツやデスクワークなどをする際に、肘や膝と床との接触でおきる摩擦からそれぞれの部位を守り、皮膚の炎症（黒ずみ、あざ）を防止するための衣類である。
【背景技術】
【０００２】ヨガなどのスポーツやデスクワークをしている時、肘や膝が摩擦で黒ずんでしまう。直接皮膚が床やヨガマットなどの接触面と接することで皮膚が痛い。その都度、タオルを置いたりするのも安定が悪く、滑りやすいので、痛みや黒ずみを阻止するための衣類が必要だと思った。
【考案が解決しようとする課題】
【０００３】肘や膝が床や机などと接触する時の摩擦から、それぞれの部位を保護する。
【課題を解決するための手段】
【０００４】肘や膝に専用の衣類をつけることにより、肘や膝や脚の甲と接触面（床や机など）との摩擦をさける。
【考案の効果】
【０００５】肘や膝の専用の衣類を着用することにより、床や机などの接触面と直接接触することがないため、そのためにおきる痛みや黒ずみをさけることができる。
【図面の簡単な説明】
【０００６】
【図１】ティラピスのうんどうをしている図  肘がマットについて、痛く、摩擦があるので、肘に衣類をつけている。
【図２】ヨガの運動をしている図  肘とひざがマットと接触して痛く、摩擦があるので、衣類をつけている。
【図３】デスクワークの時、の図  肘が机と接触して痛く、摩擦があるので、肘に衣類をつけている。
【産業上の利用の可能性】
【０００７】ヨガウエアの部類で肘や膝専用の衣類を販売する。
スポーツウェアの部類で肘や肘専用の衣類を販売する。
デスクワークの部類で肘専用の衣類を販売する。
日常の衣類として肘や膝専用の衣類を販売する。
【図１】
0003201181.tif 000003
【図２】
0003201181.tif 000004
【図３】
0003201181.tif 000005
(57)【要約】      （修正有）【課題】水滴除去手段を設置して、雨天時においても後方視界を確保することができるバックカメラを提供する。【解決手段】バックカメラ２の前面に平面ガラス３と、ワイパーブレード４を設置し、ワイパーの構造を単純化する。また、他の実施例では、雨天走行時に水滴がバックカメラ２に付着しないよう、バックカメラ２の前面に水滴防止蓋を設け、バック時に蓋を開けて、後方視界を確保する。【選択図】図１
0003201187.tif 000002
【実用新案登録請求の範囲】
【請求項１】
車の後方を確認するバックカメラにおいて、バックカメラの前面に平面ガラスと、ワイパーブレードを設置することにより、雨天時水滴を除去して後方視界を確保することを特徴とするバックカメラ。
【請求項２】
車の後方を確認するバックカメラにおいて、バックカメラの前面に水滴防止蓋を設け、雨天時でもバックカメラに水滴が付着しないようにし、バック時蓋を開けて、後方視界を確保することを特徴とするバックカメラ。
【考案の詳細な説明】
【技術分野】
【０００１】
本考案は、雨天時でも後方視界を確保できるバックカメラに関するものである。
【背景技術】
【０００２】
近年のカーナビゲーションシステムは、バックカメラを接続することで、バック時の後方視界をカーナビゲーションの画面で確認することができる。バックカメラを接続するカーナビゲーションシステムの例を先行技術文献にあげる。
【０００３】
バックカメラは安全な後方視界確認に有効であるが、雨天時は車体が跳ね上げた水滴がバックカメラに付着し、カメラの映像を乱すことがある。天候が悪い時に、このままバックをすることは大変危険である。雨天の中、車を降りてバックカメラを拭く必要があるなど利便性が悪い。
【０００４】
本考案は、このような問題を解決するため、水滴を除去できる手段を持ったバックカメラを考案するものである。
【先行技術文献】
【特許文献】
【０００５】
【特許文献１】特開２００８ −３０８０６３号公報
【特許文献２】特開２０００−１３２７９５号公報
【考案の概要】
【考案が解決しようとする課題】
【０００６】
バックカメラを搭載した車において、雨天時にバックカメラに水滴が付くことによりカメラの映像が乱れ、後方視界が確保しにくくなるという課題がある。
【課題を解決するための手段】
【０００７】
本考案は、本体に一体化された水滴除去手段を持つバックカメラを使用することにより、この課題を解決するものである。
【考案の効果】
【０００８】
本考案のバックカメラは、ドライバーがバックを行う前に、バックカメラの水滴除去手段を動作させることができる。バックカメラの水滴は、道路走行中に跳ね上げた水分であることが多く、バックのような低速走行時には付きにくい。このような理由から、バック直前に水滴が除去できれば、その後バック中しばらくは有効な視界が得られる。このような手段によって、ドライバーは雨天時においても良好な後方視界を得ることができる。
【図面の簡単な説明】
【０００９】
【図１】図１は、水滴除去手段としてワイパーブレードを使ったバックカメラの正面図、側面図を示したものである。（実施例１）
【図２】図２は、ワイパーブレードを固定し、平面ガラスを移動させることで水滴を落とすバックカメラの正面図、側面図を示したものである。（実施例２）
【図３】図３は、雨天走行時、水滴がバックカメラに付かないよう、水滴除去手段として跳ね上げ式の蓋を使用したバックカメラの正面図、側面図を示したものである。（実施例３）
【図４】図４は、雨天走行時、水滴がバックカメラに付かないよう、水滴除去手段としてスライド式の蓋を使用したバックカメラの正面図、側面図を示したものである。（実施例４）
【考案を実施するための形態】
【００１０】
通常、バックカメラは凸型の複雑な構造をしており、このままでは水滴除去の仕組みが複雑になる。そのため本考案の実施例１、２では、カメラの前に平面ガラスを設置し、ワイパーの構造を単純化している。また、実施例３、４では、雨天走行時に水滴がバックカメラに付かないよう、バックカメラ前面に蓋を配置した。
【実施例１】
【００１１】
図１は、本考案装置の１実施例の断面図であって、バックカメラ本体１、バックカメラ２は、図２、３、４と同様である。
【００１２】
図１の構造にすることで、水滴はバックカメラ２には付着せず、平面ガラス３に付着することになる。ワイパーブレード４を平面ガラス３上で移動させれば、平面ガラス３上の水滴は除去され、バックカメラ２の視界が確保される。
【実施例２】
【００１３】
図２は、ワイパーブレード４を固定し、平面ガラス３を移動させることで水滴を除去する実施例である。この場合、可動部分が外部からわかりにくくなるという利点がある。
【００１４】
図３は、雨天走行時、バックカメラ２に水滴が付くのを防ぐため、水滴防止蓋５を付けた実施例である。通常、バックギアをいれることで、カーナビゲーションの画面はバックカメラ２の画面に切り替わるので、このタイミングで水滴防止蓋５を上がるようにしておけば、ドライバーがバックカメラ水滴除去の操作をすることなく、バック時に良好な視界を得ることができる。
【００１５】
図４は、水滴防止蓋５をスライド式にした実施例である。実施例３同様、バックギアを入れると水滴防止蓋５が半回転スライドし、バックカメラ２が後方視界をとらえる。実施例３に比較して、水滴防止蓋５の可動部分が外部からわかりにくくなるという利点がある。
【符号の説明】
【００１６】
１    バックカメラ本体
２    バックカメラ
３    平面ガラス
４    ワイパーブレード
５    水滴防止蓋
【図１】
0003201187.tif 000003
【図２】
0003201187.tif 000004
【図３】
0003201187.tif 000005
【図４】
0003201187.tif 000006
(57)【要約】      （修正有）【課題】手先が主枝に触れることなく簡単に取り付けることが出来るトマト主枝用固定器具を提供する。【解決手段】トマトの主枝を支柱に固定するための主枝用固定器具Ａであって、弾力性のある材質で構成される、Ｃの字の形状を有し内部に主枝Ｄを取り付ける主枝収容部分と、主枝収容部分から延びる２つの器具の足（Ａ−２）と、２つの器具の足のそれぞれの先端に設けた紐取付部（Ａ−１）とを備える。トマト主枝用固定器具Ａを主枝Ｄの必要箇所に取り付け、その固定器具Ａに設けてある足Ａ−２とを紐Ｂで結び、その紐Ｂの先端を支柱Ｃに結ぶことにより、手先等で主枝に触れることが無くなり、房や蕾みをを散落させることが無くなる。【選択図】図１
0003201165.tif 000002
【実用新案登録請求の範囲】
【請求項１】
畑やプランターで、トマトを苗から育て収穫するまでの段階で、主枝から出ている枝の先端辺りにある房や蕾み等を、手先などに触れて散落させないための主枝用固定器具を提供する。
【考案の詳細な説明】
【技術分野】
【考案の詳細な説明】
【０００１】  トマトを畑やプランター等で収穫して楽しんでいる人が多い。
【背景技術】
【０００２】  従来は、そのトマトを、畑やプランター等で収穫するには、苗から主枝が成長して行く段階で、風等によって倒れないようにするために、主枝の近くに支柱を立て、その主枝と支柱とを必要箇所に応じて、麻紐やビニール紐等で結び固定している。
【考案の開示】
【考案が解決しようとする課題】
【０００３】  従来は、トマトの主枝近くに支柱を立て、その主枝と支柱とを必要箇所に応じて、麻紐やビニール紐等で結び固定しているが、一つ一つ結ぶのに手間がかかり、時には、その主枝の上下にある枝の先端近くの房や蕾みに手先が触れて、折ったり散落してしまうことが多い。
【課題を解決するための手段】
【０００４】  その解決策として、房や蕾みを折ったり散落させないために、紐等で主枝に結ぶ固定作業を無くして、本考案の、トマト主枝用固定器具（固定器具）を、主枝の上下の必要箇所に取り付け、その後は、支柱と紐等で結ぶだけで良い。
【考案の効果】
【０００５】  固定器具を、手先が主枝に触れることなく簡単に取り付けることが出来る。【０００６】  固定器具を、主枝の上下の必要箇所各所に取り付ける作業途中で、枝の先端辺りに手先等が触れないので、房や蕾みの散落が無くなる。
【考案を実施するための最良の形態】
【０００７】  図［Ｉ］［２］のＡ−３に示すように、固定器具は、器具の足（Ａ−２）の双方を広げないと主枝に取り付けることが出来ないので、弾力性のある例えば、プラスチックやゴム等で出来ていて曲折の出来る材質が望まれる。【０００８】固定器具の足の先端は、図［Ｉ］Ａ−１に示すように、先端にΠ部を設けることにより、紐等で結び付けた後、抜けたり解ける事がない。
【実施例】
【０００９】  ［図１］［３］に示すように、［２］の足（Ａ−３）を広げるようにして、主枝に固定器具に取り付けた後、足をＡ−２ように閉ざし、その足の先端に設けてあるＡ−１のΠ部分を避けてＡ−２に紐等Ｂを巻きつけて結び、その紐等（Ｂ）の先端を支柱（Ｂ−１）に巻きつけ結ぶ事により取り付け完了となる。
【図面の簡単な説明】
【００１０】
【図１】固定器具取り付け図である  ［１］  固定器具  ［２］  ［１］の足広げ図  ［３］  ［１］を主枝に取り付け正面図  ［４］  Ａ−２とＣにＢを巻き取り付け平面図  ［５］  ［４］の斜視図  本考案の実施形態を示す
【符号の説明】
【００１２】Ａ        固定器具
Ａ−１    Ａの先端のΠ
Ａ−２    Ａの足
Ａ−３    Ａ−２  広げ姿
Ｂ        紐
Ｂ−１    ＣにＢ結び付け
Ｂ−２    Ａ−２にＢ結び付け
Ｃ        支柱
Ｄ        主枝
Ｄ−１    蕾み
Ｄ−２    房
Ｄ−３    枝葉
【図１】
0003201165.tif 000003
【手続補正書】
【提出日】平成27年8月31日(2015.8.31)
【手続補正１】
【補正対象書類名】実用新案登録請求の範囲
【補正対象項目名】全文
【補正方法】変更
【補正の内容】
【実用新案登録請求の範囲】
【請求項１】
トマトの主枝を支柱に固定するための主枝用固定器具であって、
弾力性のある材質で構成される、Ｃの字の形状を有し内部に主枝を取り付ける主枝収容部分と、主枝収容部分から延びる２つの器具の足（Ａ−２）と、２つの器具の足のそれぞれの先端に設けた紐取付部（Ａ−１）とを備えたことを特徴とする主枝用固定器具。
(57)【要約】      （修正有）【課題】ラップの残りが少ないことを知らせるエンドマークを設けた食品包装用ラップフィルムを提供する。【解決手段】ラップシート１の片端部もしくは両端部、或いは全面にエンドマークとなるライン３、フィルム若しくはシートを具備させたラップフィルムでありエンドマークの長さが３０ｃｍから１５０ｃｍの範囲である。【選択図】図１
0003201164.tif 000002
【実用新案登録請求の範囲】
【請求項１】
エンドマークを備えた食品包装用ラップフィルム
【考案の詳細な説明】
【技術分野】
【０００１】本考案は、残り少なくなったことを知らせるエンドマークを設けた食品包装用ラップフィルムに関するものである。
【背景技術】
【０００２】現在流通しているラップは心棒に巻かれた無色透明のシートからなる。
【先行技術文献】
【特許文献】
【０００３】
【特許文献１】特開平９−２１６４８２
【考案の概要】
【考案が解決しようとする課題】
【０００４】現在流通しているラップは無色透明であり、カッター付き紙箱の中に入っているために残量を正確に把握できない。従って、使用最中に突然使い果たし、買い置きがない場合には使えない不便さがあった。
【課題を解決するための手段】
【０００５】特開平９−２１６４８２号に記載されているようにレジスター用のロール紙にはシート残量が少なくなると印字面に警告ラインが表れ、レジ担当者にロール紙の交換時期を知らせる技術が記載されている。本考案は該特許技術からの応用でありラップが残り少ないことを知らせるエンドマークを設けることで課題を克服することを見出した。
【考案の効果】
【０００６】本考案のエンドマークを付けラップによれば、ラップが無くなる前に買い足すことが可能となり、使いたいときに使うことができる。
【図面の簡単な説明】
【０００７】
【図１】本考案による一実施例である片端部にエンドラインを具備させたラップである。
【図２】本考案による一実施例である両端部にエンドラインを具備させたラップである。
【考案を実施するための形態】
【０００８】
【実施例】
【０００９】食品包装用ラップフィルムに関して、芯２からラップシート１を巻き込む際に該ラップシート１の片端部もしくは両端部、或いは全面にエンドマークとなるフィルムもしくはシート等を具備させる。該エンドマークの長さに関しては、少なくとも１回に使用する長さが必要であり３０ｃｍから１５０ｃｍの範囲、好ましくは５０ｃｍから１００ｃｍとすると良い。
【産業上の利用可能性】
【００１０】
【符号の説明】
【００１１】１  ラップ
２  芯
３  エンドマーク
【図１】
0003201164.tif 000003
【図２】
0003201164.tif 000004
【手続補正書】
【提出日】平成27年8月20日(2015.8.20)
【手続補正１】
【補正対象書類名】実用新案登録請求の範囲
【補正対象項目名】全文
【補正方法】変更
【補正の内容】
【実用新案登録請求の範囲】
【請求項１】
ラップシートの片端部もしくは両端部、或いは全面にエンドマークとなるライン、フィルム若しくはシートを具備させたラップフィルムでありエンドマークの長さが３０ｃｍから１５０ｃｍの範囲である食品包装用ラップフィルム
(57)【要約】      （修正有）【課題】義歯の基本機能である咀嚼を前提に、口腔内の浄化、消臭などを行う活性炭プレートを提供する。【解決手段】微細多孔質な活性炭の粉末を成形したプレート３を上顎側義歯床底面２に置き、市販の粘着型義歯床安定用糊剤（入れ歯安定剤）で接着し、口腔内に残留する腐敗性細菌の吸着や消臭効果を狙うものである。日常の手入れは、就寝時などに本プレートを義歯床から外し、洗浄剤又は水で洗い、本プレートに吸着した物質を取り除き、再び使用する。【選択図】図１
0003201168.tif 000002
【実用新案登録請求の範囲】
【請求項１】
本考案は、微細多孔質な活性炭の粉末をプレート状に成形し、このプレートを市販の粘着型義歯床安定用糊剤（入れ歯安定剤）で上顎側義歯床底面に接着して使用するもので、口腔内の浄化と口臭の消去を行う活性炭プレートである。
【考案の詳細な説明】
【技術分野】
【０００１】本考案は、義歯床に装着する着脱プレートに関するものである。
【背景技術】
【０００２】従来の義歯は、歯を失っても食物などを咀嚼できるよう、歯科医師が利用者の歯型に合わせて作成するもので、口腔内の浄化や消臭といった点には関与していなかった。
【先行技術文献】
【特許文献１】特開平１１−１７８８４３号  公報
【０００３】本発明は、抗菌性義歯安定剤を義歯床の粘膜面に塗布するものであるが、抗菌作用面が狭く抗菌効果は低いと思われる。
【特許文献２】実用新案登録第３１２１９８７号  公報
【０００４】本発明は、純銀又は銀合金を義歯床に埋設し、固定させるものであるが、金属使用のため保険適用外の自費診療で、修理が難しいという難点がある。
また、本発明は抗菌作用はあるが、口臭を除去する効果は期待できない。
【考案の概要】
【考案者が解決しようとする課題】
【０００５】口腔内には、３００種類以上の細菌が存在しているが、抗菌物質を含む唾液が１日１，０００〜１，５００ｍｌ分泌され、更に、歯磨きやうがいで菌の発生が抑制されている。しかしながら、唾液は長時間口腔内に留め置くと菌が発生し、また、歯磨きのプラーク除去率は５０％しかなく、歯垢や喫煙者のニコチン、タールが嫌悪性細菌を増やし、腐敗発酵して口腔内に残り、口腔内環境を悪化させている。
【０００６】本考案は、上述した実情に鑑みてなされたものであり、その目的は、口腔内環境を整えることができる、抗菌・消臭効果のある義歯を提供することにある。
【問題を解決するための手段】
【０００７】活性炭は微細多孔質な物質で、有害物質などの吸着や消臭機能などがある。
これらの機能を口腔内で確保するために、活性炭の粉末に無機系結合材、添加剤、水を混ぜ、プレス成形した後、高温で還元焼成し、活性炭成形体プレートを作り、このプレートを義歯床に装着することで、嫌悪性細菌や食品などに含まれる着色料や保存剤などの添加物を吸着し、浄化や消臭などの口腔ケアを行うものである。
【考案の効果】
【０００８】本プレートは、どんな義歯床にも装着可能な形状をしており、サイズも一種類でよく、既製品であることを特徴とする。従って、現在使用中の義歯床に簡単に装着でき、新規に義歯を作る必要がない。
【０００９】歯科疾患実態調査によると、義歯使用者は約３，０００万人おり、うち、総入れ歯装着者は約６００万人と推定されている。
高齢化社会を迎え、総入れ歯の需要がますます増加する中、口腔内の常在菌を抑え、全身の健康に直結する本装置は大きな需要が見込まれる。
【図面の簡単な説明】
【００１０】
【図１】本考案の実施の形態に係る義歯床の底面図である。
【図２】図１の背面図である。
【図３】図１の側断面図である。
【図４】本プレートの平面図である。
【図５】本プレートの正面図である。
【図６】本プレートの側面図である。
【考案を実施するための形態】
【００１１】義歯自体はそれぞれの患者の歯型に合わせて作るオーダーメード品であるが、それぞれの義歯床の形状には大きな違いはなく、義歯床底面に装着する本プレートは既製品で間に合うため、一種類のサイズとなっている。
【００１２】使用方法は、本プレートを上顎側の義歯床底面に置き、市販の粘着型義歯床安定用糊剤（入れ歯安定剤）で接着して使用するものである。
日常の手入れとしては、就寝時などに義歯床から外したプレートを水或いは洗浄剤で洗い、本プレートに吸着した物質を取り除き、乾燥させた後、再び使用する。
【符号の説明】
【００１３】１  義歯
２  義歯床
３  活性炭プレート
【図１】
0003201168.tif 000003
【図２】
0003201168.tif 000004
【図３】
0003201168.tif 000005
【図４】
0003201168.tif 000006
【図５】
0003201168.tif 000007
【図６】
0003201168.tif 000008
【手続補正書】
【提出日】平成27年8月28日(2015.8.28)
【手続補正１】
【補正対象書類名】実用新案登録請求の範囲
【補正対象項目名】全文
【補正方法】変更
【補正の内容】
【実用新案登録請求の範囲】
【請求項１】
微細多孔質な活性炭の粉末をプレート状に成形したものであり、口腔内の浄化と口臭の消去を行うことを特徴とする活性炭プレート。
(57)【要約】      （修正有）【課題】１日中、中身を変えてケースとしてフルに活用し、より使いやすく、“長年愛用し、持っていたい”と思ってもらえる小物アイテムとなるメガネ収納ケースを提供する。【解決手段】缶形状をなし、縦置き可能であり、上部に蓋を備える。リサイクル素材からなり、形状は円筒型、円柱型、三角柱型、四角柱型、五角柱型又は六角柱型である。ケースの中に地厚な生地で構成されたメガネ拭きを備える。【選択図】図１
0003201167.tif 000002
【実用新案登録請求の範囲】
【請求項１】
彼・彼女とペア、友達や同僚とお揃いで可愛い収納ケースとして使用する。
（一日の人の生活行動を考え、朝起きて、夜寝るまで同じケースで違う使い方が１日中フルにケースとして活用できる万能ケース。）
【請求項２】
スチール・プラスチック・紙・ガラス・アルミ・アクリル・ＰＥＴなどのリサイクル素材として、ただの缶ではなく収納という新たな商品価値を生み出す。
また、缶の高さを自分で容易に調整することにより、様々な収納の役割を果たす。
形状は円筒型・円柱型・三角・四角・五角形・六角柱型などを含む。
【請求項３】
このケースの中身には、メガネを入れて持ち運びの際、メガネを傷つけないためにもメガネ拭きを少し地厚な生地にし、衝撃から守るクッションの役目を果たす機能をつける。
【考案の詳細な説明】
【技術分野】
【０００１】缶ケースを立てることでメガネを収納できるケース。パソコンに向かいＰＣメガネなどを使用する時は、このケースをペン立て等の文具備品を入れる缶パッケージとしても１日フルに使用できることに関する。
【背景技術】
【０００２】従来よくあるメガネケースは横にしたタイプが多く、その多くはメガネ入れとしか使用できない。メガネを出したらまたカバンなどに仕舞うのが通常である。
が、同じように持ち歩くモノで、私達の普段の生活でよく手にしている水やお茶などはペットボトルに入っていて最近ではカバンの中に入れて持ち歩くスタイルが定着している。目的地に着いたらカバンから出すスタイルである。
同じようにメガネも缶のケースに入れて会社や学校など目的地に着き、カバンから飲み物を机の上に出すのと同じように、缶パッケージに入ったメガネを取出し、飲み物と一緒に並べて置くことにより、使いやすく、また丈夫で、尚且つ美しいスタイルとして見ることができる。
【考案の概要】
【考案が解決しようとする課題】
【０００３】現在のものは横置き中心の形状のものばかりである。
本考案は従来の横型から縦型にすること。また＋αの機能として、１日中、中身を変えてケースとしてフルに活用し、より使いやすく、“長年愛用し、持っていたい”と思ってもらえる小物アイテムとして商品提供したい。
【考案の効果】
【０００４】本考案は、メガネと文具などの収納を、この缶パッケージで賄えることにより上記のような、また別の、その人、その人の使い勝手に対応することによって１日フルにケースとして活用できる様々な使用効果を有する万能ファッションアイテムとなりうる。
【図面の簡単な説明】
【０００５】
【図１】缶ケースの意匠詳細図
【図２】ケースの上部フタ部分詳細図
【図３】タテ型収納メガネケースの１日の使用例
【図４】お茶の葉入れタイプ缶ケース  例題編（イメージ写真）
【符号の説明】▲１▼開口部分：内側に落し込みフタ
▲２▼印刷内容（客先要望に準ずる）
▲３▼下部分：上フタと同じ形状で溶接もしくは接着
【産業上の利用可能性】
【０００６】スチール缶・紙・ガラス・プラスチック・アクリル・アルミ・ペットなどを原材料とした素材を利用して新しい製品製造を確立することができる
【図１】
0003201167.tif 000003
【図２】
0003201167.tif 000004
【図３】
0003201167.tif 000005
【図４】
0003201167.tif 000006
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
缶形状をなし、縦置き可能であり、上部に蓋を備えたことを特徴とするメガネ収納ケース。
【請求項２】
リサイクル素材からなり、形状は円筒型、円柱型、三角柱型、四角柱型、五角柱型又は六角柱型であることを特徴とする請求項１に記載のメガネ収納ケース。
【請求項３】
ケースの中に地厚な生地で構成されたメガネ拭きを備えたことを特徴とする請求項１又は２に記載のメガネ収ケース。
(57)【要約】      （修正有）【課題】植物を育てる場合、収穫の楽しみにもより一層の観賞、装飾の楽しみを付け加えるカラフル支柱を提供する。【解決手段】植物を育てる際に使われる鋼管でできた支柱１を覆う樹脂カバー２を、赤、白、黄色、青等のカラフルな色にしたり模様を施したりする。【選択図】図１
0003201175.tif 000002
【実用新案登録請求の範囲】
【請求項１】
植物を育てる際に使われる鋼管でできた支柱を覆う樹脂カバ−を様々なカラフルな色にしたり模様を施すことを特徴とするカラフル支柱。
【考案の詳細な説明】
【技術分野】
【０００１】  本考案は、農作物を支えるカラフルな支柱に関するものである。
【背景技術】
【０００２】  従来、植物を支える支柱は、緑色とか黒とか田圃や畑において目立たない地味な色のものしかなかった。
【考案の概要】
【考案が解決しようとする課題】
【０００３】  植物を支える支柱をカラフルなものにして、作物を育てる楽しみに観賞や装飾の機能を持たせる。
【課題を解決するための手段】
【０００４】  支柱に使われる鋼管を覆う樹脂カバ−を、赤、白、黄色、青等のカラフルな色にしたり、模様をつけたりする。
【考案の効果】
【０００５】  特にベランダ菜園等、趣味的に作物を育てている場合、栽培をしている者は実りの楽しみと共に観賞や装飾の楽しみも期待しているものである。支柱を従来の緑色からさまざまな色にカラ−化したり模様を施すことで、観賞の楽しみや装飾の楽しみを増加させることができる。植物の栽培に興味を持つ人を増やし、市場を広げる可能性がある。
【図面の簡単な説明】
【０００６】
【図１】カラフルな色の模様を施した樹脂で覆われた一部断面図を含む支柱
【考案を実施するための形態】
【０００７】  植物を育てる際に使われる鋼管でできた支柱を覆う樹脂カバ−を、赤、白、黄色、青等のカラフルな色にしたり模様を施したりする。
【実施例】
【０００８】  以下添付図に従って、一実施例を説明する。１は、植物を育てる際に使う支柱の芯材に使われている鋼管である。２は、１の鋼管を覆う赤、青、黄色に色付けされたり模様を施した樹脂カバ−である。
【符号の説明】
【０００９】１  支柱の芯材である鋼管
２  鋼管を覆う赤、青、黄色に色付けし模様を施した樹脂カバ−
【図１】
0003201175.tif 000003
(57)【要約】      （修正有）【課題】畑やガーデニングの作業中に、日焼け、虫刺されなどを防ぐために簡単に被れる日よけ帽子を提供する。【解決手段】帽子本体の下の部分に、前だけゴムを入れた日よけ布１、２を縫い付けて、ゴム入りあごかけループ７を設けたことを特徴とする。【選択図】図１
0003201177.tif 000002
【実用新案登録請求の範囲】
【請求項１】
帽子本体の下の部分に、前だけゴムを入れた日よけ布を縫い付けて、ゴム入りあごかけループを設けた日よけ帽子。
【考案の詳細な説明】
【技術分野】
【０００１】  本考案は、畑やガーデニングのとき、虫よけや日よけのために、簡単に被れる日よけ帽子に関するものである。
【背景技術】
【０００２】  従来、畑の帽子は、日よけや、虫よけのためについている布を、右と左で結んだり、ボタンで留めたりしていたが、手袋をしていたり、手が汚れていると結びにくいものである。
【先行技術文献】
【特許文献】
【０００３】
【特許文献１】  特開平１０−１１０３１９号公報
【考案の概要】
【考案が解決しようとする課題】
【０００４】  従来のものは、つぎのような問題点があった。
（イ）日よけや、虫よけをするために、顔を覆う布は、あごの下で結ぶか、ボタンで留め    なくてはならなかった。
（ロ）手袋をしていたり、手が土で汚れていると、あごの下で結んだり、顔の前で布を合    わせることが大変だった。
そのため、手袋をはずして結び直すことが不便であった。
本考案は、以上の問題点を解決しようとするものである。
【課題を解決するための手段】
【０００５】  帽子本体の下の部分に、前だけゴムを入れた日よけ布を縫い付けて、ゴム入りあごかけループを設けた日よけ帽子。
【考案の効果】
【０００６】（イ）顔の部分は、鼻の部分から下をカバーすることができる。
（ロ）ゴムが入っているので、片手でも日よけ布を調節するのにべんりである。
（ハ）手が汚れていても、手袋をしていても、片手で調節できる。
（ニ）クラウンの両脇にゴム入りループを取り付け、あごの下へ移動させて、虫が入って    くることを防止する。
【図面の簡単な説明】
【０００７】
【図１】  本考案の斜視図である。
【図２】  本考案の分解斜視図である。
【図３】  本考案の分解斜視図である。
【図４】  本考案の使用状態を示した斜視図である。
【考案を実施するための形態】
【０００８】  以下、本考案の実施の形態を説明する。
（イ）ゴム入り前日よけ布（１）と、後ろ日よけ布（２）の脇を縫って輪にする。
（ロ）ブリムのはしから約５ｃｍ入ったところと、ゴムの入っていない日よけ布の脇と合    わせて、帽子の日よけ布との縫い始め位置（１１）から、日よけ布との縫い終わり位    置（１２）と、日よけ布の後ろ部分、帽子との縫い終わり位置（９）から、帽子との    縫い始め位置（１０）を縫い合わせる。
（ハ）ゴム入りあごかけループ（７）を、帽子の両脇につける。
本考案は以上の構成よりなっている。
本考案の使い方を説明する。
帽子本体の下の方から頭を入れ、前のゴムの部分は目の下にくるように被る。
帽子と日よけが一つになっているので、被るとき、手袋をしていても、被りやすい。
ゴム入りあごかけループ（７）の端と端を右と左の横に取り付けて、あごの下に移動すると、虫が入らない。
【符号の説明】
【０００９】    １  前日よけ布
２  後ろ日よけ布
３  前ゴム入り部分
４  後ろゴム入り部分
５  ループつけ位置
６  クラウン
７  ゴム入りあごかけループ
８  ブリム
９  帽子との縫い終わり位置
１０  帽子との縫い始め位置
１１  日よけ布との縫い始め位置
１２  日よけ布との縫い終わり位置
【図１】
0003201177.tif 000003
【図２】
0003201177.tif 000004
【図３】
0003201177.tif 000005
【図４】
0003201177.tif 000006